(57)【要約】      （修正有）【課題】メディアに触れた複数のコンピュータユーザについて収集された、感情状態情報を含む行動データに基づくメディアの自動分析およびベンチマークを行う。【解決手段】メディアベンチマークプロセスは、テスト中のメディアについての複数の個別行動データ記録を受信するステップと、複数の個別行動データ記録を集計するステップと、ノルムデータベースからノルムを取得するステップと、集計行動データをノルムと比較して、テスト中のメディアについてのベンチマークデータを判定するステップと、ベンチマークデータを出力するステップを含む。【選択図】図３
2019091487.tif 000002
【特許請求の範囲】
【請求項１】
メディアコンテンツのインパクトをベンチマークするコンピュータ実施方法であって、前記方法は、
分析サーバと通信する電子図書館を提供することを含み、前記電子図書館は、複数のコンテンツエントリーを有し、前記複数のコンテンツエントリーの各々は、１つのメディアコンテンツと関連付けられ、１つ以上の分析次元によって表現可能な集計行動データを含み、前記集計行動データは、複数の個別行動データ記録から得られ、各個別行動データ記録は、前記１つのメディアコンテンツを閲覧している間にコンピュータユーザから取得され、前記方法はさらに、
分析されるべき１つのメディアコンテンツに関連する複数の新しい個別行動データ記録を前記分析サーバにおいて受信することを含み、前記複数の新しい個別行動データ記録の各々は、前記分析されるべき１つのメディアコンテンツの再生中にコンピュータユーザから取得され、前記複数の新しい個別行動データ記録の各々は、前記１つ以上の分析次元によって表現可能な行動データを含み、前記方法はさらに、
前記分析サーバにおいてコンピュータ読取可能命令を実行して、前記分析サーバに、
前記受信された複数の新しい個別行動データ記録を集計して、分析のための集計行動データを形成するステップと、
前記分析次元のうち１つ以上のコンテキストにおいて、前記分析のための集計行動データを、前記電子図書館内の複数のコンテンツエントリーの前記集計行動データと比較するステップと、
前記分析のための集計行動データと、前記複数のコンテンツエントリーのうち１つ以上の集計行動データとの間の統計的に有意な類似点または相違を識別するステップと、
前記識別された統計的に有意な類似性または相違に基づいて、前記複数のコンテンツエントリーのうち１つ以上に関して、前記分析されるべき１つのメディアコンテンツをベンチマークする出力を生成するステップと、を行わせることを含む、方法。
【請求項２】
所与の個別行動データ記録は、前記コンピュータユーザによって表わされる１つ以上の感情についての時系列データを含み、前記１つ以上の分析次元は時間を含む、請求項１に記載の方法。
【請求項３】
前記電子図書館内の複数のコンテンツエントリーについての集計行動データからの１つ以上のノルムを前記分析サーバから抽出することを含み、前記分析のための集計行動データを前記電子図書館内の複数のコンテンツエントリーの前記集計行動データと比較することは、前記分析のための集計行動データを前記抽出されたノルムと比較することを含む、請求項１または２に記載の方法。
【請求項４】
前記分析サーバは、前記電子図書館をサンプリングして、その中の前記複数のコンテンツエントリーのサブセットの集計行動データを取得するステップを行い、前記１つ以上のノルムは、前記複数のコンテンツエントリーの前記サブセットの前記集計行動データから抽出される、請求項３に記載の方法。
【請求項５】
前記抽出されたノルムのうち１つ以上を、前記電子図書館に関連付けられたデータベースに記憶することを含む、請求項３または４に記載の方法。
【請求項６】
所与の個別行動データ記録は、前記コンピュータユーザによって表わされる１つ以上の感情についての時系列データを含み、前記ノルムは、前記電子図書館内の複数のコンテンツエントリーの前記集計行動データ中の１つ以上の感情についての平均特性を含む、請求項３〜５のうちいずれか１項に記載の方法。
【請求項７】
前記平均特性は、
それぞれのメディアのすべてまたは一部中の感情値と、
他の感情値によって標準化された前記それぞれのメディアのすべてまたは一部中の感情値と、
前記それぞれのメディアのすべてまたは一部中の感情スパンと、
感情ピークの相対時間と、
感情ピークの数と、
最も高い感情ピークの値と、
感情トラフの相対時間と、
感情トラフの数と、
最も低い感情トラフの値と、
前記それぞれのメディアのすべてまたは一部中の累積的な感情値と、
感情値の経時変化の尖度および／またはスキューと、
感情値の経時変化の増大および／または減少の持続時間と、
中間感情値の経時変化の中央値、範囲、および標準偏差と、
中間感情値の経時変化についての最大値と終値との間の相違と、
中間感情値の経時変化に基づく線形トレンドの交点および／または勾配と、
時間によって、またはデータ記録の数によって集計された時の中間感情値の百分位数分布記述子と、から成るグループから選択される、請求項６に記載の方法。
【請求項８】
前記１つ以上の感情は、怒り、嫌気、無関心、悲しさ、脅え、幸せ、および驚きから成るグループから選択される、請求項６または７に記載の方法。
【請求項９】
前記ノルムは、異なる感情どうしの間の相関係数を含む、請求項６〜８のうちいずれか１項に記載の方法。
【請求項１０】
分析のための集計行動データについて前記電子図書館において新しいコンテンツエントリーを作成することと、前記新しいコンテンツエントリーが作成された後で前記ノルムを再計算することとを含む、請求項６〜９のうちいずれか１項に記載の方法。
【請求項１１】
出力は、前記分析のための集計行動データの、前記電子図書館における複数のコンテンツエントリーの集計行動データとの図形比較を示す表示を含む、いずれかの先行する請求項に記載の方法。
【請求項１２】
出力は、前記分析サーバから送信される、いずれかの先行する請求項に記載の方法。
【請求項１３】
統計的に有意な類似性または相違を識別することは、前記分析のための集計行動データが、所定のしきい値より大きな量だけ前記複数のコンテンツエントリーのうち１つ以上の前記集計行動データから外れているかどうか判定することを含む、いずれかの先行する請求項に記載の方法。
【請求項１４】
統計的に有意な類似性または相違を識別することは、学習されたモデルに基づく、いずれかの先行する請求項に記載の方法。
【請求項１５】
メディアコンテンツのインパクトを分析するコンピュータ実施方法であって、前記方法は、
分析されるべき１つのメディアコンテンツに関連する複数の個別行動データ記録を分析サーバにおいて受信することを含み、前記複数の個別行動データ記録の各々は、前記分析されるべき１つのメディアコンテンツの再生中にコンピュータユーザから取得され、前記複数の個別行動データ記録の各々は、１つ以上の分析次元によって表現可能な行動データ
を含み、前記方法はさらに、  
前記分析サーバにおいてコンピュータ読取可能命令を実行して、前記分析サーバに、
前記受信された複数の個別行動データ記録を、複数の行動データ分析サブグループに分割するステップであって、前記複数の行動データ分析サブグループの各々は、前記分析次元のうち１つ以上において所定の特性を呈示する個別行動データ記録を有するステップと、
前記複数の行動データ分析サブグループの各々について前記個別行動データ記録における前記行動データを集計するステップと、
前記複数の行動データ分析サブグループの前記集計行動データ間の統計的に有意な相違を識別するステップと、
前記識別された統計的に有意な相違に基づいて、前記分析次元内の前記１つのメディアコンテンツの相対的なインパクトを示す出力を生成するステップと、を行わせることを含む、方法。
【請求項１６】
前記分析サーバは、前記複数の個別行動データ記録の前記集計行動データから１つ以上のノルムを抽出するステップを行い、前記複数の行動データ分析サブグループの前記集計行動データ間の統計的に有意な相違を識別するステップは、前記複数の行動データ分析サブグループの前記集計行動データを、前記抽出されたノルムと比較することを含む、請求項１５に記載の方法。
【請求項１７】
前記分析サーバは、
前記複数の個別行動データ記録における行動データと前記１つ以上の分析次元との間の１つ以上の相関関係を検出するステップと、
前記受信された複数の個別行動データ記録を、前記検出された１つ以上の相関関係に基づいて、複数の行動データ分析サブグループにセグメント化するステップと、を行う、いずれかの先行する請求項に記載の方法。
【請求項１８】
前記検出するステップは、クラスタアルゴリズムおよび／またはスペクトル分析を適用する、請求項１７に記載の方法。
【請求項１９】
コンピュータプログラムコードがその上に記憶されたコンピュータ読取可能記憶媒体を含むコンピュータプログラム製品であって、コンピューティング装置によって実行されると、メディアコンテンツの項目のインパクトをベンチマークする方法を前記コンピューティング装置に行わせ、前記コンピュータプログラム製品は、
複数の個別行動データ記録を集計して、分析のための集計行動データを形成するプログラムコードと、
１つ以上の分析次元のコンテキストにおいて、前記分析のための集計行動データを、電子図書館に記憶されている複数のコンテンツエントリーの集計行動データと比較するためのプログラムコードと、
前記分析のための集計行動データと前記複数のコンテンツエントリーのうち１つ以上の前記集計行動データとの間の統計的に有意な類似性または相違を識別するためのプログラムコードと、
前記複数のコンテンツエントリーのうち１つ以上に関して分析されるべきメディアコンテンツの項目をベンチマークする前記識別された統計的に有意な類似性または相違に基づいて出力を生成するためのプログラムコードとを含む、コンピュータプログラム製品。
【請求項２０】
コンピュータプログラムコードがその上に記憶されたコンピュータ読取可能記憶媒体を含むコンピュータプログラム製品であって、コンピューティング装置によって実行されると、メディアコンテンツのインパクトをベンチマークする方法を前記コンピューティング装置に行わせ、前記コンピュータプログラム製品は、
複数の個別行動データ記録を、複数の行動データ分析サブグループに分割するためのプログラムコードを含み、前記複数の行動データ分析サブグループの各々は、前記分析次元のうち１つ以上において所定の特性を呈示する個別行動データ記録を有し、さらに、
前記複数の行動データ分析サブグループの各々について前記個別行動データ記録における前記行動データを集計するためのプログラムコードと、
前記複数の行動データ分析サブグループの前記集計行動データ間の統計的に有意な相違を識別するためのプログラムコードと、
前記分析次元内の前記１つのメディアコンテンツの相対的なインパクトを示す前記識別された統計的に有意な相違に基づく出力を生成するためのプログラムコードと、を含む、コンピュータプログラム製品。
【発明の詳細な説明】
【技術分野】
【０００１】
発明の分野
本発明は、コンピュータユーザ行動の分析および処理に関する。特に、発明の実施形態は、たとえばメディアコンテンツに触れている間のコンピュータユーザの行動に関係する情報を使用して、たとえば他のメディアコンテンツと比較した当該メディアコンテンツの質的評価を行なうことに関する。そのような質的比較を用いることにより、コンテンツ制作者、ディストリビュータ、ネットワークオペレータおよび同様のエンティティがメディアコンテンツの送信をメディアコンテンツの十分な品質の項目のみに限定することが可能となり、それによって、ネットワークおよびコンピューティングリソースを保護する。
【背景技術】
【０００２】
発明の背景
商業的な観点からは、たとえば広告（ａｄ）、ゲーム、ミュージックビデオ、テレビ番組等のオンラインで提供されるコンテンツの性能を評価することができることが重要である。この点に関して、手動でコンテンツを格付けることによって、たとえば適切な定格値（たとえば星の数）を選択することによってフィードバックを提供するようにコンピュータユーザのためのシステムを提供することは一般的である。広告有効性トラッキングスキームの一部としてアンケートまたはインタビューを提供することも同様に一般的である。
【０００３】
直近では、たとえば顔面特徴トラッキングなどによってコンピュータユーザの感情を測定するための技術が、ビデオコンテンツの性能を評価する方法に組込まれて来ている。たとえば、ウェブカメラなどの撮像ユニットを用いて、ビデオコンテンツを見ている際のコンピュータユーザの顔面特徴を含む画像を取込むことができる。取込まれた画像は、ビデオのある点におけるコンピュータユーザの感情に関する情報を得るように処理することができ、これによりビデオの性能に関する有益なフィードバックが提供される。
【０００４】
ビデオおよび取込まれた画像はインターネットによって送信されることができ、それによって複数の遠隔コンピュータユーザからフィードバックが自動的に収集され得る。たとえば、米国出願公開第２０１２／０２２２０５７号は、埋込み型ビデオを見るコンピュータユーザについての精神状態データを収集するように配置されたウェブ対応インターフェイスにビデオが埋込まれたシステムについて論じている。たとえば、複数の予期されるビューワーに適切なＵＲＬを送ることによって、ウェブ対応インターフェイス自体を分配することができる。
【発明の概要】
【課題を解決するための手段】
【０００５】
発明の概要
最も一般的には、本発明は、メディアの所与の項目に触れた複数のコンピュータユーザについて収集された感情状態情報を含み得る行動データに基づくメディアの所与の項目の自動分析およびベンチマークのための高度な技術を提案する。特定の典型的な質的比較であるそのようなベンチマークの使用により、コンテンツ制作者、ディストリビュータ、ネットワークオペレータ、および同様のエンティティが、十分な品質である、たとえば所与のしきい値を越えるベンチマークスコアを所有し、それによってネットワークおよびコンピューティングリソースを保護するメディアコンテンツの項目のみに、メディアコンテンツの送信を限定することが可能となる。
【０００６】
本発明は、他のメディアコンテンツに対して行われることができる比較分析および処理
を含み、その場合には、当該技術は、迅速な目的査定ツールを提供することができる。代替的にまたはその上、テスト中のメディア自体に対して比較分析を行うことができ、その場合には、当該技術は、たとえば、メディアがその対象視聴者に対して所期の影響を及ぼしたかどうかについて即時のフィードバックを行なうことができる。比較分析は、インパクト（肯定的または否定的）が観察される視聴者セクターを識別することをさらに支援し得る。
【０００７】
第１の実施形態では、本発明は、メディアコンテンツのインパクトをベンチマークする、コンピュータ実施方法を提供する。本実施形態に係る方法は、分析サーバと通信する電子図書館を提供することを含み、電子図書館は、複数のコンテンツエントリーを有し、複数のコンテンツエントリーの各々は、１つのメディアコンテンツと関連付けられ、１つ以上の分析次元によって表現可能な集計行動データを含み、集計行動データは、複数の個別行動データ記録から得られ、各個別行動データ記録は、（たとえば、遠隔クライアント装置からネットワークによって分析サーバと通信される）コンピュータユーザが当該１つのメディアコンテンツを（たとえば、遠隔クライアント装置と関連付けられたディスプレイ上で）閲覧している間にコンピュータユーザから得られる。
【０００８】
本実施形態はさらに、分析されるべき１つのメディアコンテンツに関連する複数の新しい個別行動データ記録を分析サーバにおいて受信することを含み、複数の新しい個別行動データ記録の各々は、分析されるべき１つのメディアコンテンツの再生中に（たとえば、遠隔クライアント装置からネットワークによって分析サーバと通信される）コンピュータユーザから取得され、複数の新しい個別行動データ記録の各々は、１つ以上の分析次元によって表現可能な行動データを含む。
【０００９】
分析サーバにおいてコンピュータ読取可能命令が実行され、受信された複数の新しい個別行動データ記録を集計して、分析のための集計行動データを形成するステップと、分析次元のうち１つ以上のコンテキストにおいて、分析のための集計行動データを、電子図書館内の複数のコンテンツエントリーの集計行動データと比較するステップと、分析のための集計行動データと、複数のコンテンツエントリーのうち１つ以上の集計行動データとの間の統計的に有意な類似点または相違を識別するステップと、識別された統計的に有意な類似性または相違に基づいて出力を生成するステップと、を分析サーバに行わせる。統計的に有意な類似性または相違は、電子図書館内の複数のコンテンツエントリーのうち１つ以上に関して、分析されるべき１つのメディアコンテンツについてのベンチマークとして機能する。したがって、テスト中のメディアについての受信データが集計され、他のメディアコンテンツについての記憶された集計データと比較されて、ベンチマーク情報を導出する。
【００１０】
所与の個別行動データ記録は、コンピュータユーザによって表わされる１つ以上の感情についての時系列データを含むことができる。この場合、時間が分析次元のうちの１つである。テスト中のメディアの持続時間にわたる感情の変化は、したがってライブラリに記憶されたメディアの感情の変化と比較されることができる。
【００１１】
比較は、たとえば利用者データ（または任意の他の種類のユーザデータ）、ビデオ／メディアデータ（たとえば使用法、閲覧数、賞）、閲覧条件、収集国などの、テスト中のメディアについての集計データが比較される分析次元をフィルタリングすることによって調整することができる。
【００１２】
分析サーバは、電子図書館内の複数のコンテンツエントリーの集計行動データからの１つ以上のノルムを抽出するステップを、比較ステップの一部としてまたは比較ステップに先立って行うことができる。分析のための集計行動データを電子図書館内の複数のコンテ
ンツエントリーの集計行動データと比較することは、分析のための集計行動データを抽出されたノルムと比較することを含む。ノルムは、テスト中のメディアの集計データの対応する特性をそれと比較することができる非コンテキストな相対的情報であり得る。
【００１３】
所与のノルムは、電子図書館の全コンテンツに基づいて、またはそのサブセットのみに基づいて算出されることができる。したがって、分析サーバは、電子図書館をサンプリングして、その中の複数のコンテンツエントリーのサブセットの集計行動データを取得するステップを行い得る。１つ以上のノルムは、複数のコンテンツエントリーのサブセットの集計行動データから抽出される。
【００１４】
頻繁に利用されるノルムは、即時の使用のための準備ができている専用データベース上に記憶されることができる。したがって、当該方法は、抽出されたノルムのうち１つ以上を、電子図書館に関連付けられたデータベースに記憶することを含むことができる。転送時に、またはさもなければ本発明の他の構成要素またはステップによって必要とされる時にオンデマンドで、他のノルムを抽出することができる。
【００１５】
所与の個別行動データ記録がコンピュータユーザによって表わされた１つ以上の感情についての時系列データを含む場合、ノルムは、それぞれのメディアの持続時間のすべてまたは一部にわたって得られた電子図書館内の複数のコンテンツエントリーの集計行動データ中の１つ以上の感情についての平均特性を含むことができる。たとえば、ノルムは、次のうちいずれか１つ以上を含むことができる。
【００１６】
それぞれのメディアのすべてまたは一部中の感情値と、
他の感情値によって標準化されたそれぞれのメディアのすべてまたは一部中の感情値と、
それぞれのメディアのすべてまたは一部中の感情スパンと、
感情ピークの相対時間と、
感情ピークの数と、
最も高い感情ピークの値と、
感情トラフの相対時間と、
感情トラフの数と、
最も低い感情トラフの値と、
それぞれのメディアのすべてまたは一部中の累積的な感情値と、
感情値の経時変化の尖度および／またはスキューと、
感情値の経時変化の増大および／または減少の持続時間と、
中間感情値の経時変化の中央値、範囲、および標準偏差と、
中間感情値の経時変化についての最大値と終値との間の相違と、
中間感情値の経時変化に基づく線形トレンドの交点および／または勾配と、
時間によって、またはデータ記録の数によって集計された時の中間感情値の百分位数分布記述子と、のうちいずれか１つ以上を含むことができる。
【００１７】
データが収集される感情は、怒り、嫌気、無関心、悲しさ、脅え、幸せ、驚き、およびそれらの派生物を含むことができる。ノルムは、異なる感情値の行動の間の相関係数を含むことができる。他の行動情報（たとえば頭部の方位または上半身の姿勢などの物理データ）も収集され得る。この情報は、他の情報、たとえば感情状態情報と組み合わせて、コンピュータユーザの反応、たとえば関与などのさらなる指標を導出することができる。
【００１８】
上に示されるように、行動データはメディアコンテンツを閲覧する際のコンピュータユーザの顔の表情から検出された感情を含むことができる。代替的にまたはその上、行動データは、限定はされないが、メディアコンテンツと対話するユーザから収集されることが
できる他の情報、たとえば、身振り、（たとえば、皮膚の色または監視アクセサリーに基づく）血圧、まばたきなどのうちのいずれかを含み得る。
【００１９】
テスト中のメディアについての集計データは、たとえば、分析のための集計行動データについて電子図書館において新しいコンテンツエントリーを作成することによって、電子図書館に追加されることができる。ノルムは、電子図書館において新しいコンテンツエントリーが作成された後で再計算されることができる。
【００２０】
統計的に有意な類似性または相違を識別するステップは、分析のための集計行動データが、ノルムから、または電子図書館中の複数のコンテンツエントリーのうち１つ以上の集計行動データから、所定のしきい値より大きな量だけ外れているかどうかを判定することを含むことができる。あるいは、類似性または相違は、学習されたモデルに基づいて識別されることができる。
【００２１】
出力は、たとえばノルムとの任意の有意な類似性または相違に注意を引きつけることによって比較の結果を示すベンチマークデータであり得る。ベンチマークデータは、分析のための集計行動データの、ノルムとの、または電子図書館における複数のコンテンツエントリーの集計行動データとの図形比較を示す表示の形態であり得る。ベンチマークデータまたは表示はローカルに用いることができるか、またはデータネットワークによって第三者、たとえばテスト中のメディアの所有者またはディストリビュータに通信されることができる。
【００２２】
例として、ベンチマークデータは、テスト中のメディアについての定格を導出するために用いることができるか、または用いられてもよい。別の例では、ベンチマークデータを用いて、２つ以上の異なるメディア項目についてのベンチマークデータの相対位置をノルムに関して比較することができる。したがって、出力は、メディアコンテンツＢによって受信された感情的反応よりもノルムよりも１０％大きいある感情的反応を生成するものとしてメディアコンテンツＡを分類することができる。
【００２３】
第２の局面において、発明は、イントラメディア比較、たとえば、メディア自体に関してのテスト中のメディアについて収集された行動データの分析の方法を提供する。第２の局面によれば、メディアコンテンツのインパクトを分析するコンピュータ実施方法が提供され、当該方法は、分析されるべき１つのメディアコンテンツに関連する複数の個別行動データ記録を分析サーバにおいて受信することを含み、複数の個別行動データ記録の各々は、分析されるべき１つのメディアコンテンツの再生中にコンピュータユーザから取得され、複数の個別行動データ記録の各々は、１つ以上の分析次元によって表現可能な行動データを含む。
【００２４】
分析サーバにおいてコンピュータ読取可能命令が実行され、受信された複数の個別行動データ記録を複数の行動データ分析サブグループに分割するステップを分析サーバに行わせる。複数の行動データ分析サブグループの各々は、分析次元のうち１つ以上において所定の特性を呈示する個別行動データ記録を有する。複数の行動データ分析サブグループの各々について個別行動データ記録における行動データが集計され、複数の行動データ分析サブグループの集計行動データ間の統計的に有意な相違が識別される。分析次元内の１つのメディアコンテンツの相対的なインパクトを示す識別された統計的に有意な相違に基づいて出力が生成される。
【００２５】
第１の局面と同様に、第２の局面の分析サーバは、複数の個別行動データ記録の集計行動データから１つ以上のノルムを抽出するステップを行い、複数の行動データ分析サブグループの集計行動データ間の統計的に有意な相違を識別するステップは、複数の行動デー
タ分析サブグループの集計行動データを、抽出されたノルムと比較することを含む。
【００２６】
本発明を用いて、テスト中のメディアコンテンツの所与の項目に対する様々なクラスのリアクションを自動的に識別する、たとえば複数の個別行動データ記録における行動データと１つ以上の分析次元との間の１つ以上の相関関係を自動的に検出することもできる。この検出に基づき、本発明のシステムおよび方法は、受信された複数の個別行動データ記録を、検出された１つ以上の相関関係に基づく複数の行動データ分析サブグループにセグメント化することを含むことができる。検出ステップは、クラスタアルゴリズムおよび／またはスペクトル分析を用いることができる。
【００２７】
図面の簡単な説明
添付の図面を参照して発明の実施形態について以下に詳細に説明する。
【図面の簡単な説明】
【００２８】
【図１】発明の一実施形態に係る方法を実施するためのシステムの概略図である。
【図２】本発明の一実施形態に係る分析サーバのコンポーネントの概略図である。
【図３】本発明の一実施形態に係るメディアベンチマークプロセスを表すフローチャートである。
【図４】本発明の一実施形態に係るノルムライブラリにおいてノルムを更新する方法を表すフローチャートである。
【図５】本発明の一実施形態に係るメディアベンチマークプロセスを表すフローチャートである。
【図６】本発明の一実施形態に係るイントラメディア分析法を表すフローチャートである。
【図７】個別行動データ記録と１つ以上の分析次元との間の相関関係が本発明の一実施形態に従って自動的に検出されるメディア分析プロセスを表すフローチャートである。
【発明を実施するための形態】
【００２９】
発明のある実施形態の詳細な説明
図１は、本発明が動作し得る環境１００の一実施形態を表す。ユーザ１０２は、ネットワーク対応型クライアントコンピューティング装置１０１、たとえば、ＰＣ、ラップトップコンピュータ、タブレットコンピュータ、スマートフォン、またはメディアコンテンツをレンダリングすることが可能であって、局所的なストレージ装置もしくは遠隔ストレージ装置上に存在し得る他の装置に関連付けられたメディアコンテンツをディスプレイ１０４上で閲覧する。クライアントコンピューティング装置１０１はしたがって、インターネットなどのネットワーク１１２を介してデータを送信および受信することが可能である。
【００３０】
コンピューティング装置またはそのためのディスプレイ１０４は、マイクロフォン、ウェブカメラ１０６などといった行動データを記録するための内蔵手段に接続されるかまたは内蔵手段を有する。従来のように、ユーザ１０２があるメディアコンテンツを閲覧するかまたは聞きたい場合、ビデオプレーヤ１０８（たとえばウィンドウズ（登録商標）メディアプレーヤ、クイックタイム（登録商標）プレーヤ、Ａｕｄａｃｉｏｕｓ、Ａｍａｒｏｋ、Ｂａｎｓｈｅｅ、ＭＰｌａｙｅｒ（登録商標）、Ｒｈｙｔｈｍｂｏｘ（登録商標）、ＳＭＰｌａｙｅｒ、Ｔｏｔｅｍ（登録商標）、ＶＬＣ、およびｘｉｎｅ、またはＪＷプレーヤ、Ｆｌｏｗｐｌａｙｅｒ、およびＢｒｉｇｈｔｃｏｖｅ（登録商標）などのオンラインビデオプレーヤ）は、メディアコンテンツの再生のためのユーザインターフェイスを提示するように起動されることができる。
【００３１】
コンピューティング装置は、たとえば、その上のメモリに格納されるか、ダウンロード可能であるか、または他の方法でネットワーク１１２を介してアクセス可能である行動デ
ータ収集アプリケーション１１０がそれに関連付けられている。ユーザ１０２は、たとえばメディアプレーヤ１０８上のメディアコンテンツを閲覧しつつ、行動データ収集演習に参加するための招待をコンピューティング装置上で受信することができる。ある実施形態によれば、行動データ収集アプリケーションは、ワンタイムベースによってまたはいずれかの所与の行動データ収集演習の開始に先立って行われることができる行動データ収集演習への招待を受付ける前に、コンピュータユーザ行動データを収集するように動作可能ではない。招待の受付け後、行動データ収集アプリケーション１１０が実行し、リモート分析サーバ１１４と通信して、以下に記載されるように行動データ収集演習を実行し制御することができる。
【００３２】
行動データ収集アプリケーション１１０は、ユーザの感情状態１１６を示す情報を収集するための感情トラッキングアプリケーションであり得る。行動データ収集アプリケーションは、他の種類の行動データを収集するように配置されることもできる。収集された行動データにより、ビデオプレーヤ１０８上で再生されるメディアとユーザが対話している間に、ユーザの感情をトラッキングすることができる。
【００３３】
行動データ収集アプリケーション１１０は、分析サーバ１１４と、行動データを記録するように動作可能なハードウェア（たとえばウェブカメラ１０６）との間の通信をセットアップする初期化プロセスを実行するかまたは制御することができ、収集されたデータ１１６（たとえばウェブカメラ画像、行動データ、メディア属性など）をそれらの間で転送することが可能となる。たとえば、初期化プロセスは、ネットワーク１１２を介する通信をセットアップすること（たとえば、通信のための認可を得ること）を含むことができる。収集されたデータ１１６はしたがって、ネットワーク上で分析サーバ１１４に送信されることができ、そこでユーザの感情に関する情報が抽出され、さらなる処理に使用されることができる。物理的に遠隔であるものとして表されるが、分析サーバ１１４の機能は、行動データ収集アプリケーションの一部として導入されるか、またはそうでなければ、ビデオプレーヤ１０８上でメディアコンテンツを再生するように動作可能なクライアントコンピューティング装置上にローカルに存在することができる。
【００３４】
本発明は、ビデオプレーヤ１０８上でユーザ１０２に対して再生されるメディアの相対的品質を示す情報を生成するための分析サーバ１１４における処理に関する。分析サーバ１１４は、収集されたデータ１１６を複数のユーザから受信するように配置され、収集されたデータ１１６は、集計され、次いで、それ自身と、または他のメディアコンテンツに関連する記憶データと比較され、ビデオプレーヤ１０８上でユーザ１０２に対して再生されるメディアの相対的品質を示す情報を判定し、かつ出力することができる。したがって、本明細書で説明され請求項に記載されるような品質制御メカニズムの実施は、ユーザによる閲覧のために低品質なメディアを用いるかもしくは他の方法で送信する必要性をなくすことにより、有限のコンピューティングおよびネットワークリソースのより効率的な使用を可能とする。ネットワークリソース１１２はそのような低品質なメディアの送信において利用されないため、したがって有限の帯域幅は他の用途に解放される。出力情報は、分析サーバ１１４においてローカルに表示されることができ、かつ／またはネットワーク１１２によって遠隔のエンドポイントに、たとえばユーザまたは第三者（たとえばメディアの所有者）に通信されることができる。
【００３５】
図２は、図１に例示される分析サーバ１１４のより詳細な概略図を示す。機能ブロックを用いて、サーバ内で処理を行なうソフトウェアおよび／またはハードウェアモジュールを例示する。これらの特殊化された機能は、標準的なサーバ構造、たとえばプロセッサ、メモリ、およびそれぞれの機能を実行するためにメモリ上に記憶されプロセッサによって実行可能なソフトウェア命令を用いて実施され得る。
【００３６】
分析サーバ１１４は、収集されたデータ１１６を受信するためのデータ受信モジュール２０２を含む。データ受信モジュールは、ユーザの行動に関連する情報と、副情報、たとえば収集されたデータが関係するメディアコンテンツに関する情報とに受信データを分割するように動作可能であり得る。たとえば、メディアコンテンツのアイデンティティおよびメディアコンテンツについての様々な属性（たとえば持続時間、種類、収集国）が提供されることができる。ユーザの行動に関連する情報は、限定はされないが、メディアコンテンツ、他のユーザデータ、たとえば利用者データなどに触れている間のユーザの感情に関連する情報を含むことができる。
【００３７】
分析サーバ１１４は、たとえば、収集されたデータから（たとえば画像データから）ユーザの感情についての情報を抽出するために、集計の準備ができる前に、収集されたデータを処理する必要があるテスト中にメディアコンテンツに触れた複数のコンピュータユーザから受信された行動データを集計するように動作可能な集計エンジン２０４を含むことができる。データ受信モジュール２０２がこの処理を行うことができるか、または、収集されたデータが処理のために分析モジュール２０８に送信され得る。収集されたデータが分析サーバ１１４で受信されるのに先立って、ある程度の前処理が生じ得ることは当業者によって認識されるはずである。
【００３８】
各ユーザごとの収集された行動データは、１つ以上の分析次元、たとえば、将来の分析の対象となるデータまたはユーザの特徴または特性に関連付けられることができる。たとえば、各感情の経時変化、および行動的反応と利用者情報との関係が対象となり得る。集計中に、他の分析次元に関する情報も取込まれ、それにより、集計データを分析次元を用いてフィルタリングするかまたはさらに操作することができる。
【００３９】
集計エンジン２０４は、集計データ（および任意の収集された分析次元に関する関連付けられた情報）を、分析サーバ１１４から物理的に遠隔であり得る集計データライブラリ２１２に記憶するために送信する。集計データライブラリは、したがって複数のメディアコンテンツエントリーについての集計データを記憶する。所与のメディアコンテンツエントリーは、当該一つのメディアコンテンツに関連付けられた属性データを含むことができる。さらに、所与のメディアコンテンツエントリーは、たとえば、メディアコンテンツの所与の項目について追加的な個別行動データを受信した後で更新されることができる。メディアコンテンツエントリーを更新することは、集計データを更新することを含むことができる。
【００４０】
分析サーバ１１４は、ノルムデータベース２０６をさらに含むことができる。ノルムデータベース２０６も分析サーバ１１４から物理的に遠隔であり得る。ノルムデータベース２０６は、テスト中のメディアコンテンツの所与の項目をそれに対して比較してベンチマークデータを判定することができる複数のベンチマークノルムを記憶するように動作可能である。ベンチマークノルムは、集計データライブラリ２１２からの情報を用いて作成されることができる。ベンチマークノルムは、相対的に基本的、たとえば、集計データライブラリ中のすべてのメディア全体にわたる「驚き」の感情の平均値であり得るが、よりよいベンチマーク値を提供するためにより複雑でもあり得る。たとえば、ノルムは、１つ以上の分析次元における特定のクラス、たとえば、メディア中のある属性（たとえば３０秒未満の持続時間のビデオ広告）の存在に応じた特定の人口分析（たとえば性別、年齢）によって呈示される平均的な感情レベルに特有であり得る。ノルムデータベース２０６は、（たとえば従来のルックアップ技術によって）テスト中のメディアとの比較のために直ちに利用可能な複数の所定のノルムを記憶することができるか、または、転送時に、もしくはさもなければ分析サーバ１１４の他のコンポーネントによって必要とされた時にオンデマンドでノルムを算出し得る。
【００４１】
集計エンジン２０４およびノルムデータベース２０６は分析モジュール２０８と通信する。分析モジュール２０８は、テスト中のメディアについての集計データを、ノルムデータベース２０６から抽出されたかまたはノルムデータベース２０６によって算出されたノルムと比較するように動作可能である。分析モジュール２０８はさらに、そのような比較に基づいてベンチマークデータを判定するように動作可能である。ベンチマークデータは、データ出力モジュール２１０によって、たとえば表示または遠隔の目的地への通信のために出力されることができる。
【００４２】
図３は、発明の一実施形態に係るベンチマーク方法を表すフローチャートである。方法は、テスト中のメディアコンテンツの所与の項目について複数の個別行動データ記録を受信するステップ３０２から始まる。上記のように、個別行動記録は、行動データを付随データ（たとえば他のユーザデータおよびメディア属性データ）から分離するべく分割するために、分析サーバ１１４のデータ入力モジュール２０２において受信されることができる。行動データは、たとえばユーザが存在する場所においてユーザ行動データ収集コンポーネントによって収集された生の画像、または部分処理データであり得る。テスト中のメディアに触れている間のユーザの感情を示す情報は、従来の技術を用いて行動データから抽出されることができる。
【００４３】
感情的反応情報を抽出するようにデータが処理された後、方法は、テスト中のメディアを閲覧している複数のユーザからの行動情報を集計して、テスト中のメディアについての集計データを生成するステップ３０４を続ける。集計データは、集計データが複数の分析次元に基づいてフィルタリングされ、さらに操作されることを可能にするために、関連付けられたユーザデータ（たとえば利用者データ）およびメディア属性データと共に多次元的に記憶された収集感情情報を含むことができる。
【００４４】
テスト中のメディアをベンチマークするために、方法は、ノルムデータベースから複数のノルムを取得するステップ３０６を続ける。所与のノルムは、たとえば集計データライブラリに記憶されたメディアコンテンツの複数の他の項目からの集計データから平均または中央値として得られた感情または感情の組合せに関連付けられた値を表わすことができる。ノルムは、集計メディアライブラリの記憶メディアコンテンツのすべてに、または記憶されたメディアコンテンツのサブセットのみに基づいて、たとえばメディアコンテンツの所定の必要とされる属性に基づいて、算出されることができる。ステップ３０６において取得されるノルムは、ひいてはノルムデータベース上に記憶されたノルムのすべてのサブセットとなり得、テスト中のメディアの属性に基づくことができる。
【００４５】
ノルムが取得され、方法は、テスト中のメディアについての集計行動データを、取得されたノルムと比較するステップ３０８を続ける。ある実施形態によれば、このステップは、各ノルムと直接比較可能であるようにテスト中のメディアについての集計データをフィルタリングするかまたは操作することを必要とする。たとえば、１つのノルムは特定の性別の感情的反応に関連し得るため、比較を行う前にこの性別に基づいて集計データをフィルタリングすることができる。同様に、メディアの持続時間にわたる平均的な感情的反応にノルムが関連する場合は、比較が行われる前に、テスト中のメディアについての集計データからこの平均を算出することが必要であり得る。
【００４６】
比較ステップ３０８は、テスト中のメディアについてのベンチマークデータを判定する目的のためである。ベンチマークデータは、たとえば集計データ反応とノルムとの間の相違の大きさ（プラス又はマイナス）に基づくスコアとして、１組のノルムとの１回以上の比較から直接取得されることができる。代替的に、比較は、集計データとノルムとの間の統計的に有意な類似性および／または相違を識別することができる。
【００４７】
方法は、ベンチマークデータを出力するステップ３１０を続ける。出力は、表示、たとえばベンチマークデータのグラフ表示または一覧表であり得る。代替的にまたはその上、ベンチマークデータは、比較の結果に関心を持つ第三者、たとえばテスト中のメディアの所有者に送信されることができる。ベンチマークデータは、１組の関連するノルムとの単純な比較として提示されることができる。たとえば、「メディアＡは、ノルムよりＹ％高い／低い感情的反応Ｘを引起す」。代替的に、ベンチマークデータは、ノルムに関する別のメディアアイテムとの比較として提示されることができる。たとえば、「メディアＡは、メディアＢよりもＹ％ノルムを上回る感情的反応Ｘを引起す」。
【００４８】
一実施形態では、２つ以上のメディアコンテンツのベンチマークデータは、たとえば並行して、数的にまたはグラフ式に比較されるが、他の実施形態は、メディアコンテンツの項目をそれ自身に対して比較して、たとえばメディアコンテンツの持続時間を通じたベンチマークデータの変動を判断することに関する。有利に、ベンチマークを提供することにより、高いベンチマーク、たとえば一貫して高いベンチマークを有するコンテンツ項目のみがエンドユーザによるアクセスのためにコンピューターネットワークによって分配されることをコンテンツ項目のディストリビュータが許可することが可能となり、それによって、低いベンチマークコンテンツ項目の不必要な送信をなくし、有限のネットワークおよびコンピューティングリソースを保護する。
【００４９】
図４は、発明の一実施形態に係るノルムデータベースにおいてノルムを更新する方法を表すフローチャートである。図４の方法は、図３を参照して上記した方法と平行して行われ得る。図４の方法は、テスト中のメディアについての複数の個別行動データ記録を受信し集計するステップ４０２および４０４から始まり、図３に関して上記したステップ３０２および３０４と概ね一致するため、ここでは再び説明しない。方法はステップ４０６を続け、新しいコンテンツエントリーが集計データライブラリにおいてなされ、集計データおよび関連付けられたデータ（たとえばメディア属性）がその新しいコンテンツエントリーの下に記憶される。
【００５０】
新しいコンテンツエントリーの作成は、ノルムデータベースに記憶された所定のノルムが更新を必要とするか否かを評価するルーチンをトリガすることができる。代替的に、ノルムデータベースは、集計データライブラリからのそのコンテンツを復元するように周期的に配列されることができる。いずれの場合も、結果は、集計データライブラリにおける集計データを用いてノルムデータベースに記憶されたノルムのうち１つ以上を再計算することであり、新しいメディアコンテンツエントリーの作成が引続く。ステップ４０８。方法は、再計算された値が検索に利用可能であるように、ノルムデータベースにおける記憶されたノルムの更新を続ける。ステップ４１０。
【００５１】
図５は、発明の一実施形態に係るベンチマーク方法を表すフローチャートである。方法は、比較のためのノルムが、データベースもしくは他のデータストア内で探索されるのではなく、転送時に、またはさもなければ分析サーバの他のハードウェアもしくはソフトウエアコンポーネントによって必要とされる時にオンデマンドで生成される以外は図３に示される方法と同様である。方法は、テスト中のメディアについての複数の個別行動データ記録を受信し集計するステップ５０２および５０４で始まる。ステップ５０２および５０４は、図３に関して上記したステップ３０２および３０４と概ね一致するため、ここでは再び説明しない。
【００５２】
方法はステップ５０６を続け、テスト中のメディアの行動データと比較されるノルムを算出する目的で、集計データの１つ以上のサンプルが集計ライブラリから抽出される。集計データのサンプルは、ライブラリにおけるメディアコンテンツエントリーのサブセットから、たとえばメディアの属性、たとえば持続時間、コンテントタイプなどに基づいてメ
ディアコンテンツエントリーをフィルタリングすることによって取得されることができる。集計データのサンプルは、たとえば、利用者情報、ビデオ中の一時的な場所（たとえば最初の１０秒）などによって、他の分析次元において制限されることもできる。たとえば、当該メディアについて新しいコンテンツエントリーがすでに作成されている場合、サンプルは、テスト中のメディアに属する集計データが含まれないことを確実にするように配置されることができる。
【００５３】
方法は、行動データのサンプルから１つ以上のノルムを算出することを含むステップ５０８を続ける。ノルムは、データのサンプル全体にわたる１つ以上の感情、たとえば驚き、幸福などに関する平均または中央値についての集計反応データに基づくことができる。１つ以上のノルムが、データの各サンプルから抽出されることができる。ステップ５１０において、テスト中のメディアについての集計行動データが算出されたノルムと比較されて、テスト中のメディアについてのベンチマークデータを判定する。このステップは、図３に関して上記した比較ステップ３０８と概ね一致するものであり、再び説明しない。
【００５４】
方法は、ベンチマークデータを出力することによってステップ５１２において続く。上に説明し記載したように、出力は、表示、たとえばベンチマークデータのグラフ表示または一覧表であり得る。代替的にまたはその上、ベンチマークデータは、比較の結果に関心を持つ第三者、たとえばテスト中のメディアの所有者に送信されることができる。
【００５５】
図６は、発明の一実施形態に係る自己比較技術を表すフローチャートである。図６の技術によれば、テスト中のメディアについての集計行動データがそれ自身と比較され、統計的に有意なダイバージェンスのエリアを識別する。この情報は、たとえば異なる利用者グループ全体にわたるメディアのインパクトを評価するのに役立つことができる。この点に関し、ネットワークオペレータおよびコンテンツディストリビュータは、コンテンツの不必要な送信を回避するためにメディアコンテンツの項目の分配を調整し、それによって、有限のネットワークおよびコンピューティングリソースを保護することができる。方法は、図５を参照して上記した方法と概ね一致する。しかし図６によれば、ノルムは、集計データライブラリからとは対照的に、テスト中のメディアの集計データから算出される。
【００５６】
図６の方法は、テスト中のメディアについての複数の個別行動データ記録を受信し集計するステップ６０２および６０４から始まる。ステップ６０２および６０４は、図３に関して上記したテップ３０２および３０４と概ね一致するものであり、再び説明しない。方法はステップ６０６を続け、テスト中のメディアについてのノルムが、従来のステップ６０４から取得された集計データから算出される。一例では、ノルムは、テスト中のメディアの継続時間（またはその一部分）にわたって得られた１つ以上の感情的反応についての平均値を表わすことができる。ノルムは、他の利用可能な分析次元、たとえば利用者情報を介してフィルタリングされることができる。
【００５７】
ノルムの比較のための集計データのサンプルが取得される。一実施形態によれば、サンプルは、有意義な比較を提供するためにノルムを算出するのに用いられる集計データのサブセットである。たとえば、サンプルは、集計データの時間的に限定された抜粋（たとえば最初の１０秒、最後の５秒など）または別の分析次元（たとえば年代、性別）にわたる集計データのフィルタリングの結果であり得る。一実施形態では、サンプルは、テスト中のメディアについての単一の個別行動データ記録であり得る。
【００５８】
プログラムフローはステップ６１０において続き、集計行動データのサンプルをテスト中のメディアについてのノルムと比較して、いずれかの統計的に有意な相違の存在を判定する。当該相違は、内部に関連するベンチマークデータまたはイントラメディアベンチマークデータを表わすことができる。たとえば、比較は、１６歳〜２５歳の男性の閲覧者が
メディアの最初の１０秒において平均よりも多くの驚きを示したことを明らかにすることができる。ステップ６１２において、イントラメディアベンチマークデータが出力される。上記のように、出力は、表示、たとえばベンチマークデータのグラフ表示または一覧表であり得る。代替的にまたはその上、ベンチマークデータは比較の結果に関心を持つ第三者、たとえばテスト中のメディアの所有者に送信されることができる。本明細書に記載されるすべての典型的な送信のように、ローカルネットワーク上で分析サーバと同じ場所を共用するエンドポイントに送信されるか、または遠隔に位置するエンドポイントに到達するために１つ以上のネットワークによって送信され得る。
【００５９】
図７は、発明の一実施形態に係る別の自己比較技術を表すフローチャートである。図７の技術によれば、テスト中のメディアについて収集された個別行動データ記録が査定され、１つ以上の分析次元との相関関係を識別する。この種の査定は、メディアのインパクトが特定の効果を有するグループのユーザを識別する方法として有用であり得る。この点に関して、ネットワーク利用は、メディアのインパクトが特定の所望の効果を有するユーザのみにメディアコンテンツを送信することによって最適化されることができる。
【００６０】
プログラムフローは、テスト中のメディアの所与の項目についての複数の個別行動データ記録の受信によりステップ７０２において初期化する。このステップは図３に関して上記したステップ３０２と一致するものであり、再び説明しない。ステップ７０４において、個別行動データ記録どうしの間の相関関係が検出される。検出ステップは、メディアコンテンツの再生の継続時間のすべてまたは一部の間の１つ以上の感情の経時変化における相関関係を検出する。検出ステップは、クラスタアルゴリズムおよび／またはスペクトル分析を用いることができる。
【００６１】
ステップ７０６において、複数の個別行動データ記録のサブグループが、共通の相関関係に基づいて分析サブグループに割当てられる。たとえば、メディアコンテンツの持続時間の最初の四分の一において同様の幸福ピークを呈示するすべての個別行動データ記録は、共通の分析サブグループに割当てられることができる。プログラムフローは次いでステップ７０８を続け、サブグループに関連する情報が出力される。出力データは、たとえば利用者情報または他のユーザ情報に基づいて、サブグループの共通の特性に関連し得る。上記のように、出力は、表示、たとえばベンチマークデータのグラフ表示または一覧表であり得る。代替的にまたはその上、出力データは、比較の結果に関心を持つ第三者、たとえばテスト中のメディアの所有者に送信されることができる。
【００６２】
図１〜図７は、本発明の実施形態の説明を可能にする概念的な例示である。本発明の実施形態の様々な局面は、ハードウェア、ファームウェア、ソフトウェア、またはそれらの組合せで実施され得ることが理解されるべきである。そのような実施形態では、本発明の機能を行うために、様々なコンポーネントおよび／またはステップがハードウェア、ファームウェア、および／またはソフトウェアで実施されることになる。つまり、同じハードウェア、ファームウェア、またはソフトウェアのモジュールが、例示したブロック（たとえばコンポーネントまたはステップ）のうち１つ以上を行なうことができる。
【００６３】
ソフトウェア実装例では、コンピュータソフトウェア（たとえばプログラムまたは他の命令）および／またはデータがコンピュータプログラム製品の一部として機械読取可能媒体上に記憶され、リムーバブルストレージドライブ、ハードドライブ、または通信用インターフェイスを介してコンピュータシステムまたは他の装置もしくは機械にロードされる。（コンピュータ制御ロジックまたはコンピュータ読取可能プログラムコードとも呼ばれる）コンピュータプログラムは、メインおよび／または二次メモリに記憶され、１つ以上のハードウェアプロセッサ（コントローラなど）によって実行されて、本明細書に記載される発明の機能を１つ以上のプロセッサに行わせる。本明細書において、「機械読取可能
媒体」、「コンピュータプログラムメディア」、および「コンピュータ使用可能なメディア」という用語は、ランダムアクセス記憶装置（ＲＡＭ）、リードオンリーメモリ（ＲＯＭ）、リムーバブルストレージユニット（たとえば磁気または光ディスク、フラッシュメモリ素子など）、ハードディスクなどといった媒体を一般に指すために用いられる。
【００６４】
とりわけ、記載されたまたは例示された要素のうちいくつかまたはすべての交換のために他の実施形態が可能であるため、上記の図および例は、本発明の範囲を単一の実施形態に限定するのが目的ではない。また、既知のコンポーネントを用いて部分的にまたは完全に本発明のある要素が実施されることができる場合、そのような既知のコンポーネントの、本発明の理解に必要な部分のみについて記載し、そのような既知のコンポーネントの他の部分の詳細な説明は、発明を不明瞭にしないように省略される。本明細書では、単一のコンポーネントを示す実施形態は、本明細書において特に明記しない限り、複数の同じコンポーネントを含む他の実施形態に必ずしも限定されるべきではなく、逆の場合もまた同様である。また、出願人は明細書または請求項のいずれの用語についても、明示的に記載しない限り、非凡または特別な意味を意図しない。さらに、本発明は、例示のために本明細書で参照した既知のコンポーネントに対する、現在知られており、かつ将来知られる均等物を包含する。
【００６５】
具体的な実施形態の上記の記載が非常に十分に発明の概略的な性質を明らかにするため、（引用によって本明細書に援用され組込まれる文書の内容を含む）関連技術の当業者の知識を適用することによって、他者は、不適当な実験なしに、本発明の概略的な概念から逸脱することなく、様々な用途についてそのような具体的な実施形態を容易に変更しかつ／または適合させることができる。そのような適合および変更はしたがって、本明細書に提示した教示および案内に基づいて、開示した実施形態の均等物の意味および範囲内にあるものとして意図されている。本明細書中の語法または用語は、本明細書の用語または語法が関連技術の当業者の知識と組合せて本明細書に提示した教示および案内に照らして当業者によって解釈されることになるように、説明のためであって限定のためではないと理解されるべきである。
【００６６】
本発明の様々な実施形態について上記したが、それらは限定ではなく例として提示されていると理解されるべきである。発明の趣旨および範囲から逸脱することなく形態および詳細の様々な変更が行われ得ることが関連技術の当業者には明らかとなるであろう。したがって、本発明は上記の典型的な実施形態のうちのいずれかによって限定されるべきではなく、以下の請求項およびそれらの均等物に従ってのみ規定されるべきである。
【図１】
2019091487.tif 000003
【図２】
2019091487.tif 000004
【図３】
2019091487.tif 000005
【図４】
2019091487.tif 000006
【図５】
2019091487.tif 000007
【図６】
2019091487.tif 000008
【図７】
2019091487.tif 000009
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
メディアコンテンツのインパクトを分析するコンピュータ実施方法であって、前記方法は、
分析されるべき１つのメディアコンテンツに関連する複数の個別行動データ記録を分析サーバにおいて受信することを含み、前記複数の個別行動データ記録の各々は、前記分析されるべき１つのメディアコンテンツの再生中にコンピュータユーザから取得され、前記複数の個別行動データ記録の各々は、１つ以上の分析次元によって表現可能な行動データを含み、前記方法はさらに、
前記分析サーバにおいてコンピュータ読取可能命令を実行して、前記分析サーバに、
前記受信された複数の個別行動データ記録を、複数の行動データ分析サブグループに分割するステップであって、前記複数の行動データ分析サブグループの各々は、前記分析次元のうち１つ以上において所定の特性を呈示する個別行動データ記録を有するステップと、
前記複数の行動データ分析サブグループの各々について前記個別行動データ記録における前記行動データを集計するステップと、
前記複数の行動データ分析サブグループの前記集計行動データ間の統計的に有意な相違を識別するステップと、
前記識別された統計的に有意な相違に基づいて、前記分析次元内の前記１つのメディアコンテンツの相対的なインパクトを示す出力を生成するステップと、を行わせることを含む、方法。
【請求項２】
前記分析サーバは、前記複数の個別行動データ記録の前記集計行動データから１つ以上のノルムを抽出するステップを行い、前記複数の行動データ分析サブグループの前記集計行動データ間の統計的に有意な相違を識別するステップは、前記複数の行動データ分析サブグループの前記集計行動データを、前記抽出されたノルムと比較することを含む、請求項１に記載の方法。
【請求項３】
前記分析サーバは、
前記複数の個別行動データ記録における行動データと前記１つ以上の分析次元との間の１つ以上の相関関係を検出するステップと、
前記受信された複数の個別行動データ記録を、前記検出された１つ以上の相関関係に基づいて、複数の行動データ分析サブグループにセグメント化するステップと、を行う、請求項１または請求項２に記載の方法。
【請求項４】
前記検出するステップは、クラスタアルゴリズムおよび／またはスペクトル分析を適用する、請求項３に記載の方法。
【請求項５】
コンピューティング装置によって実行されるコンピュータプログラムであって、前記コンピューティング装置によって実行されると、メディアコンテンツの項目のインパクトをベンチマークする請求項１〜請求項４のいずれか１項に記載された方法を前記コンピューティング装置に行わせる、コンピュータプログラム。
【外国語明細書】
2019091487000001.pdf